(57)【要約】【課題】ヒンジを破壊しようとする悪戯意識を低減させるとともに、ヒンジが破壊されにくく、美観を損ねない自動販売機を提供する。【解決手段】自動販売機１の本体の前面を開閉する扉２を有し、当該扉２を前記本体に回動可能に枢支するヒンジ装置を備えた自動販売機であって、前記ヒンジ装置７ａ、７ｂを自動販売機１内部に配設することによってヒンジ装置７ａ、７ｂを破壊しようとする悪戯意識を喚起させることがなく、また、ヒンジ装置７ａ、７ｂが自動販売機１内部に配設されていることにより扉２の前面コーナー部を美観に優れた球面形状とする。【選択図】図１
2007250013.tif 000002
【特許請求の範囲】
【請求項１】
扉を自動販売機本体に回動可能に枢支するヒンジ装置を備えた自動販売機において、
前記ヒンジ装置を自動販売機の内側に配設するとともに、前記扉の前面コーナー部を球面形状にしたことを特徴とする自動販売機。
【発明の詳細な説明】
【技術分野】
【０００１】
本発明は、扉を自動販売機本体に回動可能に枢支する自動販売機のヒンジ装置に関する。
【背景技術】
【０００２】
従来より、自動販売機の扉はヒンジ装置によって本体に対して回動可能に取り付けられており、こうしたヒンジ装置は、本体側から延出したヒンジ軸に扉の上下面が軸支されるように構成されており、上側のヒンジは自動販売機の外部に露出した状態で取り付けられているものが一般的である（例えば、特許文献１）。
【特許文献１】特開平１０−１６９２９０号公報
【発明の開示】
【発明が解決しようとする課題】
【０００３】
しかしながら、こうしたヒンジ装置は上側のヒンジが外部に露出しているために、この上側のヒンジを破壊して自動販売機の扉をこじ開けようとする悪戯が行われることが多くあり、こうした悪戯によって扉が開かれないようにするため上記特開平１０−１６９２９０号公報に示されるようにヒンジピンを焼き入れ処理することにより強度アップしたり、ヒンジにカバーを被せたりする破壊行為対策が成されるが、ヒンジが外部に露出しているために金鋸やバール等によってヒンジに対して強引な破壊行為が行われやすい構造であり、破壊を防ぎきれないケースがあった。
また、外部に露出したヒンジは、自動販売機の美観を損ねるとともに、ヒンジと係合する扉の前面コーナー部分の形状には制約があった。
本発明は、このようなヒンジを破壊しようとする悪戯意識を低減させるとともに、ヒンジが破壊されにくく、美観を損ねない自動販売機を提供するものである。
【課題を解決するための手段】
【０００４】
請求項１の発明に係る自動販売機は、扉を自動販売機の本体に回動可能に枢支するヒンジ装置を備えた自動販売機において、前記ヒンジ装置を自動販売機の内側に配設するとともに、前記扉の前面コーナー部を球面形状にしたことを特徴とするものである。
【発明の効果】
【０００５】
この構成によれば、ヒンジ装置が自動販売機内に配設されているため、ヒンジ装置を破壊しようとする悪戯意識を喚起させることがないとともに、ヒンジ装置が破壊しにくく、自動販売機のこじ開けが抑制される。さらに、扉の前面コーナー部が球面形状となっているため、他の自動販売機との差別化が図れるとともに、美観も優れている。
【発明を実施するための最良の形態】
【０００６】
以下、本発明について図面を参照しながら詳細に説明する。
図１は本発明のヒンジ装置を備えた自動販売機の正面図である。
図１に示すように、本発明のヒンジ装置を備えた自動販売機１は、後述する本体６の前面を開閉する扉２を備え、この扉２には、販売商品のサンプル３０等を展示するとともに、前面に購入商品を選択するための選択ボタン３１を配した展示室３と、金銭投入口等を配した操作部４と、扉２の下方に位置し販売された商品を取り出すための商品販売口５等が設けられている。
そして、この扉２は自動販売機１内部の左側端上下２ヵ所に配設されたヒンジ装置７ａ、７ｂによって本体６に連結されている。
図２乃至図７は扉の開閉動作を説明するヒンジ装置の平面図であり、図２乃至図４は上部ヒンジ装置７ａの説明図、図５乃至図７は下部ヒンジ装置７ｂの説明図である。
上部ヒンジ装置７ａは、図２に示すように扉２の左前部のコーナー付近に取付固定された扉軸受け２１ａと、この扉軸受け２１ａに上方から挿入されて回動可能に支持される扉回動軸２２ａと、この扉回動軸２２ａと本体６の左側端前部の補強部材６３と連結する連結ヒンジ８ａとを備えて構成されている。
【０００７】
連結ヒンジ８ａは厚板板金を折り曲げ形成したものであって、後端に本体６の補強部材６３に取付固定される本体取付部８１ａが形成され、前端に扉回動軸２２ａと係合するカール部８３ａ（係合部）が形成されている。そして、この本体取付部８１ａを図示しないボルトによって本体６の補強部材６３に取り付け、カール部８３ａを扉回動軸２２ａの上端部に係合させることにより、本体６と扉２とを連結するように構成されている。なお、カール部８３ａと扉回動軸２２ａの上端部とを予め溶接固定しておいても良く、このようにした場合には、上部ヒンジ装置７ａの取付作業が容易になる。
また、この本体取付部８１ａとカール部８３ａとの間には自動販売機１の内側に迂回するように湾曲した迂回部８２ａが形成されており、この迂回部８２ａによって扉側面後端部２ａの回動空間１００ａが形成されている。このとき、図２に示すように迂回部８２ａは扉側面後端部２ａの回動軌跡Ｋよりも自動販売機１の内側に迂回するように形成されている。また、この迂回部８２ａには、扉回動軸２２ａ位置よりも扉２の前面側に湾曲して迂回する前方迂回部８２１ａが形成されている。
なお、図２乃至図４に示すガード部材２００ａは、扉２を閉じた状態で、扉２と本体６との側面の隙間を内側から覆うように上下方向に延設されており、側面の隙間からの物の進入をガードするようになっている。
【０００８】
一方、下部ヒンジ装置７ｂは、図５に示すように扉２の左前部のコーナー付近に取付固定された扉軸受け２１ｂと、この扉軸受け２１ｂに下方から挿入されて回動可能に支持される扉回動軸２２ｂと、この扉回動軸２２ｂと本体６の左側前端部の補強部材６３と連結する連結ヒンジ８ｂとを備えて構成されている。
連結ヒンジ８ｂは厚板板金を折り曲げ形成したものであって、後端に本体６の補強部材６３に取付固定される本体取付部８１ｂが形成され、前端に扉回動軸２２ｂと係合するカール部８３ｂ（係合部）が形成されている。この本体取付部８１ｂを図示しないボルトによって本体６の補強部材６３に取り付け、カール部８３ｂを扉回動軸２２ｂの下端部に係合させることにより、本体６と扉２とを連結するように構成されている。なお、カール部８３ｂと扉回動軸２２ｂの下端部とを予め溶接固定しておいても良く、このようにした場合には、下部ヒンジ装置７ｂの取付作業が容易になる。
また、この本体取付部８１ｂとカール部８３ｂとの間には自動販売機１の内側に迂回するように湾曲した迂回部８２ｂが形成されており、この迂回部８２ｂによって扉側面後端部２ａの回動空間１００が形成される。このとき、図５に示すように迂回部８２ｂは扉側面後端部２ａの回動軌跡Ｋよりも自動販売機１の内側に迂回するように形成されている。また、この迂回部８２ｂには、扉回動軸２２ｂ位置よりも扉２の前面側に湾曲して迂回する前方迂回部８２１ｂが形成されている。
【０００９】
なお、図５乃至図７に示すガード部材２００は、扉２を閉じた状態で、扉２と本体６との側面の隙間を内側から覆うように上下方向に延設されており、側面の隙間からの物の進入をガードするようになっている。
次に、このように構成されたヒンジ装置７ａ、７ｂの取付について説明する。
まず、上下連結ヒンジ８ａ、８ｂのカール部８３ａ、８３ｂに扉回動軸２２ａ、２２ｂを各々係合させておく（このとき、カール部８３ａ、８３ｂに扉回動軸２２ａ、２２ｂを予め溶接固定しておいても良い）。そして、下側の連結ヒンジ８ｂの本体取付部８１ｂを本体６の補強部材６３にボルト止めする。この状態で、扉２を持ち上げ、下側の扉軸受け２１ｂに、下側の連結ヒンジ８ｂに係合された扉回動軸２２ｂの上端部を挿入させる。この後、上側の連結ヒンジ８ａに係合された扉回動軸２２ａの下端部を上側の扉軸受け２１ａに挿入し、最後に上側の連結ヒンジ８ａの本体取付部８１ａを本体６の補強部材６３にボルト止めすることにより取付が完了する。
次に、ヒンジ装置７ａ、７ｂが取付られた扉２の開閉について説明する。ここで、図２及び図５は扉２が閉じた状態を示す図であり、図３及び図６は扉２が９０゜開放された状態、図４及び図７は扉２が全開の状態を示す図である。
【００１０】
上述の如く、上下の連結ヒンジ８ａ、８ｂは、それぞれ扉側面後端部２ａの回動軌跡Ｋよりも自動販売機１の内側に迂回するように形成されているため、図２乃至図７に示す如く、扉２を開閉する際に扉側面後端部２ａがヒンジ装置７ａ、７ｂに当たることがない。特に、本実施の形態では、図４、図７に示すように、迂回部８２ａ、８２ｂに扉回動軸２２ａ、２２ｂの位置よりも前方に向かって湾曲させた前方迂回部８２１ａ、８２１ｂを設けているので、扉２の開き角度を９０゜以上（本実施の形態では全開時に約１３５゜）にすることができる。
このように、本実施の形態によれば、ヒンジ装置が自動販売機の内側に配設されているので、ヒンジ装置を破壊しようとする悪戯意識を喚起させることがないとともに、ヒンジ装置が破壊しにくい自動販売機を提供することができる。そして、ヒンジ装置７ａ、７ｂを自動販売機１の内側に配設した構成にも関わらず、扉２を大きく開放させることが可能である。
また、ヒンジ装置７ａ、７ｂが自動販売機１の内側に配設されるので、ヒンジ装置によって自動販売機の美観を損ねることがない。さらに、扉２のヒンジ側コーナー部分の形状がヒンジ装置によって制約されることが無いため、自由なデザインが可能となる。したがって、図８に示すように扉２の前面コーナー部９を球面形状とすることが可能であり、従来の外側ヒンジ装置を備えた自動販売機と差別化され、美観に優れたアピール性の高い自動販売機を提供することができる。
【００１１】
なお、上記球面形状とは真球面を示すものではなく、３次元の曲面を示すものである。
また、上記本実施の形態において、扉回動軸２２ａ、２２ｂが連結ヒンジ８ａ、８ｂに予め溶接等で固定しておく例を示したが、逆に、扉回動軸２２ａ、２２ｂを扉軸受け２１ａ、２１ｂに予め固定し、この扉回動軸２２ａ、２２ｂに対して連結ヒンジ８ａ、８ｂのカール部８３ａ、８３ｂを回動自在に係合させるようにしても、同様のヒンジ装置７ａ、７ｂを構成することができる。
【図面の簡単な説明】
【００１２】
【図１】本発明のヒンジ装置を取り付けた自動販売機の正面図である。
【図２】扉の開閉動作を説明する上部ヒンジ装置の平面図であり、扉が閉じた状態を示す図である。
【図３】扉の開閉動作を説明する上部ヒンジ装置の平面図であり、扉を９０゜開いた状態を示す図である。
【図４】扉の開閉動作を説明する上部ヒンジ装置の平面図であり、扉を全開にした状態を示す図である。
【図５】扉の開閉動作を説明する下部ヒンジ装置の平面図であり、扉を閉じた状態を示す図である。
【図６】扉の開閉状態を説明する下部ヒンジ装置の平面図であり、扉を９０゜開いた状態を示す図である。
【図７】扉の開閉状態を説明する下部ヒンジ装置の平面図であり、扉を全開にした状態を示す図である。
【図８】本発明のヒンジ装置を取り付けた自動販売機の斜視図であり、扉のコーナー部を球面状にした例を示す図である。
【符号の説明】
【００１３】
１    自動販売機
２    扉
３    展示室
４    操作部
５    商品取出口
６    本体
７ａ    上部ヒンジ装置
７ｂ    下部ヒンジ装置
８ａ    連結ヒンジ
８ｂ    連結ヒンジ
９    前面コーナー部
２１ａ    扉軸受け
２１ｂ    扉軸受け
２２ａ    扉回動軸
２２ｂ    扉回動軸
８２ａ    迂回部
８２ｂ    迂回部
８３ａ    カール部（係合部）
８３ｂ    カール部（係合部）
８２１ａ    前方湾曲部
８２１ｂ    前方湾曲部
Ｋ    回動軌跡
【図１】
2007250013.tif 000003
【図２】
2007250013.tif 000004
【図３】
2007250013.tif 000005
【図４】
2007250013.tif 000006
【図５】
2007250013.tif 000007
【図６】
2007250013.tif 000008
【図７】
2007250013.tif 000009
【図８】
2007250013.tif 000010